(57)【要約】【課題】  車両に乗車しながら運転者の視覚の状態を判断することができる車載表示制御装置を提供する。【解決手段】  視力測定に用いるランドルド環を表示する表示装置１０から乗員のアイポイントまでの距離を読み出し（Ｓ５１０）、この距離に応じて、法定視力に相当するランドルド環の大きさを演算し（Ｓ５２０）、この演算した大きさのランドルド環を表示装置１０へ表示する（Ｓ５３０）。この表示装置１０に表示されるランドルド環の切り欠き方向が認識できれば、乗員は、法定視力を有していることを把握できる。【選択図】        図６
2005096645.tif 000002
【特許請求の範囲】
【請求項１】
車室内に設けられる表示部と、
前記車室内における前記表示部の取り付け位置のデータを記憶する記憶手段と、
乗員の平均的な体形に関する情報を記憶する体形情報記憶手段と、
前記表示部の取り付け位置のデータと前記乗員の体形に関する情報とに基づいて、乗員が前記車室内に乗車したときの前記表示部から前記乗員までの距離を算出する算出手段と、
前記算出手段によって算出された距離に基づいて、所定の視力により読み取り可能な文字、及び図形の何れかを前記表示部に表示する表示制御手段とを備えることを特徴とする車載表示制御装置。
【請求項２】
車室内に設けられる表示部と、
前記車室内における前記表示部の取り付け位置のデータを記憶する記憶手段と、
前記車室内の乗員の体形に関する情報を入力する入力手段と、
前記表示部の取り付け位置のデータと乗員の体形に関する情報とに基づいて、前記乗員が前記車室内に乗車したときの前記表示部から前記乗員までの距離を算出する算出手段と、
前記算出手段によって算出された距離に基づいて、所定の視力により読み取り可能な文字、及び図形の何れかを前記表示部に表示する表示制御手段とを備えることを特徴とする車載表示制御装置。
【請求項３】
前記入力手段は、前記乗員の体形に関する情報として身長を入力することを特徴とする請求項２記載の車載表示制御装置。
【請求項４】
前記車室内に乗員が乗車したときのシートスライド量、及びシートバック角度を検出するシート位置検出手段を備え、
前記算出手段は、前記シート位置検出手段によって検出されるシートスライド量、及びシートバック角度を用いて、前記表示部から前記乗員までの距離を補正する距離補正手段を備えることを特徴とする請求項１又は３記載の車載表示制御装置。
【請求項５】
前記表示部に表示される文字、及び記号のいずれかの大きさを任意に設定する設定手段と、
前記設定手段によって設定される大きさの文字、及び記号のいずれかに相当する視力を前記表示部から前記乗員までの距離に応じて求める演算手段と、
前記演算手段によって求められた視力を前記乗員に報知する報知手段とを備えることを特徴とする請求項１、３、４のいずれか１項に記載の車載表示制御装置。
【請求項６】
前記表示部の表示内容に対する回答を指示する指示手段と、
前記指示手段から指示される回答と前記表示部に表示される表示内容とが一致するか否かを判定する判定手段とを備え、
前記表示制御手段は、前記判定手段の判定結果に応じて前記乗員の視力が確定するまで前記表示部に表示する文字、及び記号の何れかの大きさを繰り返し変更することを特徴とする請求項１、３、４のいずれか１項に記載の車載表示制御装置。
【請求項７】
前記表示制御手段は、確定した視力によって読み取り可能な大きさに前記表示部に表示する文字、及び記号のいずれかを変更することを特徴とする請求項６記載の車載表示制御装置。
【請求項８】
前記指示手段は、音声によって前記表示内容に対する回答を指示することを特徴とする請求項６又は７記載の車載表示制御装置。
【請求項９】
前記判定手段によって前記回答と前記表示内容とが一致すると判定された場合、前記表示内容に相当する視力を乗員に報知する報知手段を備えることを特徴とする請求項６〜８のいずれか１項に記載の車載表示制御装置。
【請求項１０】
前記判定手段によって前記回答と前記表示内容とが一致する場合の前記表示内容に相当する視力が前記所定の視力に満たない場合、前記報知手段は、視力低下を報知することを特徴とする請求項６〜９のいずれか１項に記載の車載表示制御装置。
【発明の詳細な説明】
【技術分野】
【０００１】
本発明は、車載表示制御装置に関するものである。
【背景技術】
【０００２】
従来、使用者の視力の異常を判断するシミュレータ装置が提案されている（例えば、特許文献１参照。）。この特許文献１に開示されているシミュレータ装置によれば、例えば、シミュレータ装置を用いて、ウィンカ操作、ブレーキ操作、発進・停止操作等の運転操作タスクを与える。そして、この運転操作タスクの結果、視力が弱いと判断される場合には、ディスプレイによって視力検査を行い、その結果、視力が弱い結果となった場合には、眼鏡を掛ける等の指示を使用者に出す。
【特許文献１】特開平９−３１９２９１号公報
【発明の開示】
【発明が解決しようとする課題】
【０００３】
従来のシミュレータ装置は、自動車の運転訓練用の装置であるため、実際の車両に乗車した状態で運転者の視力の異常を判断することができない。
【０００４】
本発明は、かかる問題を鑑みてなされたもので、車両に乗車しながら運転者の視覚の状態を判断することができる車載表示制御装置を提供することを目的とする。
【課題を解決するための手段】
【０００５】
請求項１に記載の車載表示制御装置は、車室内に設けられる表示部と、車室内における表示部の取り付け位置のデータを記憶する記憶手段と、乗員の平均的な体形に関する情報を記憶する体形情報記憶手段と、表示部の取り付け位置のデータと乗員の体形に関する情報とに基づいて、乗員が車室内に乗車したときの表示部から乗員までの距離を算出する算出手段と、算出手段によって算出された距離に基づいて、所定の視力により読み取り可能な文字、及び図形の何れかを表示部に表示する表示制御手段とを備えることを特徴とする。
【０００６】
このように、本発明の車載表示制御装置は、表示部の取り付け位置のデータと、例えば、乗員の平均的な身長や座高等の乗員の体形に関する情報に基づいて乗員と表示部までの距離を算出する。なお、平均的な体形の乗員がシートに着座したときのシートスライド量やシートバック角度を考慮して、乗員と表示部までの距離を算出してもよい。そして、この算出した距離に基づいて、所定の視力に相当する大きさの文字や記号を表示部に表示する。
【０００７】
これにより、例えば、乗員と表示部までの距離に基づいて、自動車の運転に必要な法定視力に相当する大きさの文字や記号を表示部に表示することで、乗員は、この表示部に表示される文字や記号が識別できる場合には、法定視力を有していることが判断でき、また、この文字や記号が識別できない場合には、法定視力を有していないことが判断できる。なお、請求項２に記載のように、乗員の体形に関する情報を入力させることで、表示部から乗員までの距離をより正確に算出することができる。
【０００８】
請求項３に記載の車載表示制御装置では、入力手段は、乗員の寸法に関する情報として身長を入力することを特徴とする。例えば、ＪＩＳ−Ｄ−４６０７に規定されている、自動車の室内寸法を測定する際に用いられる成人男性体位の５０パーセンタイル値（ＪＭ５０）等を持つ、三次元座位人体模型（３ＤＭ−ＪＭ５０）を用いて、車両における平均的な運転姿勢を保持したときの３ＤＭ−ＪＭ５０における目（以下、アイポイント）の位置と、その時の表示部から乗員のアイポイントまでの距離を予め測定しておく。そして、例えば、この３ＤＭ−ＪＭ５０の身長と乗員の身長との比から、その乗員が運転姿勢を保持するときのアイポイントの位置を推定して、この推定したアイポイントの位置を用いることで、表示部から乗員のアイポイントまでの距離を補正することができる。
【０００９】
請求項４に記載の車載表示制御装置では、車室内に乗員が乗車したときのシートスライド量、及びシートバック角度を検出するシート位置検出手段を備え、算出手段は、シート位置検出手段によって検出されるシートスライド量、及びシートバック角度を用いて、表示部から乗員までの距離を補正する距離補正手段を備えることを特徴とする。
【００１０】
すなわち、表示部から乗員までの距離は、乗員が着座するシートのスライド量やシートバックの角度によって変化する。従って、シートスライドの基準値、及びシートバック角度の基準値を予め記憶しておき、この各基準値からのスライド量、及びシートバック角度を検出し、表示部から乗員までの距離を補正することで、さらに表示部から乗員までの距離を正確に算出することができる。
【００１１】
請求項５に記載の車載表示制御装置では、表示部に表示される文字、及び記号のいずれかの大きさを任意に設定する設定手段と、設定手段によって設定される大きさの文字、及び記号のいずれかに相当する視力を表示部から乗員までの距離に応じて求める演算手段と、演算手段によって求められた視力を乗員に報知する報知手段とを備えることを特徴とする。これにより、乗員自身の視力を把握することができる。
【００１２】
請求項６に記載の車載表示制御装置では、表示部の表示内容に対する回答を指示する指示手段と、指示手段から指示される回答と表示部に表示される表示内容とが一致するか否かを判定する判定手段とを備え、表示制御手段は、判定手段の判定結果に応じて乗員の視力が確定するまで表示部に表示する文字、及び記号の何れかの大きさを繰り返し変更することを特徴とする。
【００１３】
例えば、一般的に行われる視力測定の方法のように、始めに表示した表示内容と回答とが一致する場合には、現在表示されている文字や記号よりも小さい文字や記号に変更し、表示内容と回答とが一致しなくなるまで繰り返し行う。そして、表示内容と回答とが一致しなくなったときの表示部に表示される文字、及び記号の何れかの大きさに相当する視力が乗員の視力として確定することができる。
【００１４】
一方、始めに表示した表示内容と回答とが一致しない場合には、現在表示されている文字や記号よりも大きい文字や記号に変更し、表示内容と回答とが一致するまで繰り返し行う。そして、表示内容と回答とが一致したときの表示部に表示される文字、及び記号の何れかの大きさに相当する視力が乗員の視力として確定することができる。
【００１５】
請求項７に記載の車載表示制御装置では、表示制御手段は、確定した視力によって読み取り可能な大きさに表示部に表示する文字、及び記号のいずれかを変更することを特徴とする。例えば、ナビゲーション装置やオーディオ機器等に表示部が用いられる場合に、確定した視力によって読み取り可能な大きさに表示部に表示する文字や記号を変更する。これにより、乗員は表示部の文字や記号を読み取ることができる。
【００１６】
請求項８に記載の車載表示制御装置では、指示手段は、音声によって表示内容に対する回答を指示することを特徴とする。これにより、乗員は、乗車姿勢を変えることなく回答することができる。なお、視力測定に用いられるランドルド環を表示部に表示する場合には、ランドルド環の切り欠きの方向を音声で指示したり、あるいは、ジョイスティック等によって切り欠きの方向を指示したりしてもよい。
【００１７】
請求項９に記載の車載表示制御装置では、判定手段によって回答と表示内容とが一致すると判定された場合、表示内容に相当する視力を乗員に報知する報知手段を備えることを特徴とする。これにより、乗員は、乗員自身の視力を把握することできる。
【００１８】
請求項１０に記載の車載表示制御装置では、判定手段によって回答と表示内容とが一致する場合の表示内容に相当する視力が所定の視力に満たない場合、報知手段は、視力低下を報知することを特徴とする。例えば、表示部に視力低下の旨を示す表示をしたり、警告音を提示したりする。これにより、乗員は、法定視力を有していないことを把握することができる。
【発明を実施するための最良の形態】
【００１９】
以下、本発明の実施の形態における車載表示制御装置に関して、図面に基づいて説明する。なお、本実施形態では、本発明の車載表示制御装置をナビゲーション装置の機能として適用した一例について説明する。
【００２０】
図１は、本実施形態に係わるナビゲーション装置の概略構成を示すブロック図である。同図に示すように、本実施形態のナビゲーション装置１００は、位置検出器１、地図データ入力器６、操作スイッチ群７、外部メモリ９、表示装置１０、音声入出力装置１１、リモコンセンサ１２、及びこれらと接続する制御回路８によって構成される。
【００２１】
制御回路８は、通常のコンピュータとして構成されており、内部には周知のＣＰＵ、ＲＯＭ、ＲＡＭ、Ｉ／Ｏ及びこれらの構成を接続するバスラインが備えられている。ＲＯＭには、ナビゲーション装置１００が実行するためのプログラムが書き込まれており、このプログラムに従ってＣＰＵ等が所定の演算処理を実行する。また、制御回路８は、外部メモリ９に記憶されるデータを読み込んだり、外部メモリ９にデータを書き込んだりする。
【００２２】
位置検出器１は、いずれも周知の地磁気センサ２、ジャイロスコープ３、距離センサ４、及び衛星からの電波に基づいて車両の位置を検出するＧＰＳ（Global Positioning System）のためのＧＰＳ受信機５を有している。これらは、各々が性質の異なる誤差を持っているため、複数のセンサにより各々補完しながら使用するように構成されている。なお、各センサの精度によっては位置検出器１を上述した内の一部で構成してもよく、更に、図示しないステアリングの回転センサ、各転動輪の車速センサ等を用いてもよい。
【００２３】
地図データ入力器６は、地図データ、背景データ、目印データ等の各種データを入力するための装置であり、制御回路８からの要請により各種データを送信する。これら各種データを記憶する記憶媒体としては、そのデータ量からＣＤ−ＲＯＭやＤＶＤ−ＲＯＭ等が用いられるが、メモリカードやハードディスク等の書き込み可能な記憶媒体を用いてもよい。
【００２４】
操作スイッチ群７は、例えば、表示装置１０と一体になったタッチスイッチもしくはメカニカルなスイッチ等が用いられ、表示装置１０の画面に表示される地図のスクロール操作、文字入力、キー選択等の各種入力に使用される。
【００２５】
表示装置１０は、例えば、液晶ディスプレイによって構成され、車室内のセンターコンソール付近に設置される。この表示装置１０の画面には位置検出器１から入力された車両の現在位置に対応する自車位置マークと、地図データ入力器６より入力された地図データ、背景データ、目印データによって生成される車両の現在位置の周辺地図を表示することができる。
【００２６】
また、表示装置１０は、制御回路８からの指示に応じて、液晶ディスプレイの照度を所定の照度に調整する。なお、この照度調節は、操作スイッチ群７によって手動によって調整することも可能である。
【００２７】
音声入出力装置１１は、図示しない入力装置及び出力装置から構成される。入力装置は、ユーザの発話内容を認識して、ナビゲーション装置１００の各種入力に用いるものである。一方、出力装置は、スピーカやオーディオアンプ等から構成されるもので、音声案内等に用いられる。
【００２８】
ナビゲーション装置１００は、操作スイッチ群７やリモコン１３等から目的地を設定すると、現在位置を出発地とする目的地までの最適な経路を自動的に探索し、この探索した経路を画面に表示して目的地まで誘導する、いわゆる経路誘導機能を備えている。このような自動的に最適な経路を設定する手法は、例えば、周知のダイクストラ法によるコスト計算方法が採用される。
【００２９】
これらの機能は、主に制御回路８によって各種の演算処理がなされることで実行される。すなわち、制御回路８は、目的地が指定されると地図データ入力器６の地図データを用いて経路を探索し、その経路を表示装置１０へ表示させるとともに、分岐地点や右左折すべき交差点において地図の拡大や音声案内を行う。
【００３０】
なお、本実施形態のナビゲーション装置１００は、車両に乗車しながらも、乗員の視力測定を行う視力測定機能を有している。この視力測定機能では、乗員の身長が入力されると、この入力された身長に基づいて表示装置１０から乗員のアイポイントまでの距離を算出し、この距離に基づいて、運転操作上必要な法定視力に相当する大きさのランドルド環を表示装置１０の画面に表示する。
【００３１】
ランドルド環とは、図７に示すように、日本国内において視力測定の基準とされているものであり、一方方向に切り欠きを有するリング状のものである。通常、視力測定は、人から５ｍ離れた位置にこのランドルド環を表示し、この時、太さ１．５ｍｍ、直径７．５ｍｍのリングに設けられた、切り欠き幅１．５ｍｍの方向がわかる視力を１．０としている。
【００３２】
通常、乗用車等では、表示装置１０から５ｍ離れた位置に乗員が乗車することはできないため、表示装置１０から乗員のアイポイントまでの距離を算出し、この算出距離と５ｍとの比に応じてランドルド環の大きさを変更する。この距離の比に応じた大きさに変更されたランドルド環を表示装置１０に表示したとき、乗員の乗車位置から切り欠き方向が読み取れる場合に、視力１．０と判定される。
【００３３】
また、視力１．０に相当する大きさのランドルド環を２倍の大きさに変更したものが視力０．５に相当するランドルド環となり、逆に、半分の大きさに変更したものが視力２．０に相当するランドルド環となる。運転操作上必要な法定視力は０．７であることから、視力１．０に相当する大きさのランドルド環を０．７倍の大きさに変更したものが視力０．７に相当するランドルド環となる。
【００３４】
さらに、視力測定機能では、ランドルド環を表示装置１０に表示した後、乗員からランドルド環の切り欠き方向が指示されると、表示装置１０に表示されているランドルド環の切り欠き方法と指示された方向とが一致しているか否かを判定し、この判定結果に応じて乗員の視力を判定する。
【００３５】
次に、この本実施形態の特徴部分である視力測定機能の処理について、図４〜図６に示すフローチャートを用いて説明する。先ず、図４に示すステップ（以下、Ｓと記す）１００では、表示装置１０に視力測定のメニュー画面を表示する。このメニュー画面には、「設定」、「視力測定」の２つの項目が表示される。
【００３６】
Ｓ２００では、メニュー画面の「設定」が選択されたか否かを判定し、肯定判定される場合にはＳ３００へ処理を進め、否定判定される場合にはＳ４００へ処理を進める。
【００３７】
ここで、Ｓ３００における設定処理について、図５に示すフローチャートを用いて説明する。この設定処理では、表示装置１０から乗員のアイポイントまでの距離を算出する。先ず、Ｓ３１０では、設定方法の選択画面を表示する。この選択画面には、「デフォルト値使用」、「身長入力」の２つの項目が表示される。
【００３８】
Ｓ３２０では、選択画面の「デフォルト値使用」が選択されたか否かを判定し、肯定判定される場合にはＳ３３０へ処理を進め、否定判定される場合にはＳ３４０へ処理を移行する。Ｓ３３０では、性別の入力を乗員に促し、入力された性別に対応する身長が読み出される。なお、ここで読み出される身長は、日本国内における男性／女性の平均的な身長である。
【００３９】
Ｓ３４０では、選択画面の「身長入力」が選択されたか否かを判定し、肯定判定される場合にはＳ３５０へ処理を進め、否定判定される場合にはＳ３１０へ処理を移行し、上述した処理を繰り返す。Ｓ３５０では、乗員に乗員自身の身長を入力させる。Ｓ３６０では、身長に基づいて表示装置１０から乗員のアイポイントまでの距離の演算を行う。
【００４０】
なお、例えば、ＪＩＳ−Ｄ−４６０７に規定されている、自動車の室内寸法を測定する際に用いられる成人男性体位の５０パーセンタイル値（ＪＭ５０）を持つ３ＤＭ−ＪＭ５０等を用いて、図２に示すような、ナビゲーション装置１００の搭載される車両における平均的な運転姿勢を保持したときの３ＤＭ−ＪＭ５０におけるアイポイント（Ｐ）の位置と、その時の表示装置１０から乗員のアイポイントまでの距離（Ｌ）を予め測定しておく。そして、この３ＤＭ−ＪＭ５０の身長と乗員の身長との比から、その乗員が運転姿勢を保持するときのアイポイント（Ｐ）の位置を推定して、この推定したアイポイント（Ｐ）の位置を用いて距離（Ｌ）を補正する。
【００４１】
なお、この３ＤＭ−ＪＭ５０が運転姿勢を保持したときのシートスライド量（Ｓ）、及びシートバック角度（Ａ）を記憶しておき、実際に乗員が運転姿勢を保持したときのシートスライド量とシードバック角度を測定して、距離（Ｌ）をさらに補正してもよい。これにより、より正確な距離（Ｌ）を推定することができる。
【００４２】
Ｓ３７０では、Ｓ３６０にて演算した距離（Ｌ）を登録情報として記憶しておく。なお、この登録情報をデフォルト値として追加してもよい。
【００４３】
この設定処理が終了すると、図４に示すＳ４００では、メニュー画面の「視力測定」が選択されたか否かを判定し、肯定判定される場合にはＳ５００へ処理を進め、否定判定される場合にはＳ１００へ処理を進める。
【００４４】
次に、Ｓ５００における視力測定処理について、図６に示すフローチャートを用いて説明する。なお、この視力測定処理が開始されるのと同時に、表示装置１０の照度を視力測定に必要な照度（例えば、５００ルクス程度）となるように調整しておく。
【００４５】
Ｓ５１０では、上述した設定処理において登録された表示装置１０から乗員のアイポイントまでの距離（Ｌ）と、基準値となる一般の視力測定における距離（５ｍ）と、この距離における視力１．０に相当するランドルド環の大きさ（太さ１．５ｍｍ、直径７．５ｍｍ、切り欠き幅１．５ｍｍ）を読み込む。
【００４６】
Ｓ５２０では、この読み込んだ距離（Ｌ）と基準値とから、表示装置１０に表示すべきランドルド環の大きさを演算する。なお、このＳ５２０の処理を始めて実行する場合には、運転操作上必要な法定視力（０．７）に相当するランドルド環の大きさを演算する。
【００４７】
Ｓ５３０では、Ｓ５２０にて演算した法定視力に相当する大きさのランドルド環を表示装置１０に表示する。なお、図３に示すように、表示装置１０の画面１０ａの一部１０ｂに表示する。これにより、ナビゲーションシステムにおける地図表示や経路誘導等の実行中であっても、本来の機能を損なうことなく、視力測定の表示をすることができる。
【００４８】
Ｓ５４０では、乗員からのランドルド環の切り欠き方向に対する回答が有ったか否かを判定する。ここで、肯定判定される場合にはＳ５５０へ処理を進め、否定判定される場合には回答があるまで待機状態となる。
【００４９】
なお、乗員からは、例えば、音声入出力装置１１を用いて音声によって回答がなされるとよい。これにより、乗員は、運転姿勢を変えることなく回答することができる。なお、ジョイスティック等によってランドルド環の切り欠き方向を回答するものであってもよい。
【００５０】
Ｓ５５０では、表示装置１０に表示されているランドルド環の切り欠きの方向と乗員の回答した切り欠きの方向とが一致しているか否かを判定する。Ｓ５６０では、判定結果を表示装置１０に表示する。
【００５１】
例えば、Ｓ５５０の処理を始めに実行したときの表示装置１０に表示したランドルド環の切り欠きの方向と乗員の回答した切り欠きの方向とが一致している場合には、表示装置１０に表示されているランドルド環の大きさに相当する視力を表示装置１０に表示したり、音声で提示したりする。これにより、乗員は、乗員自身の視力を把握することができる。
【００５２】
一方、Ｓ５５０の処理を始めに実行したときの表示装置１０に表示されているランドルド環の切り欠きの方向と乗員の回答した切り欠きの方向とが一致しない場合、乗員は、運転操作上必要な法定視力（０．７）を有していないため、表示装置１０に視力低下の表示をしたり、警告音を提示したりする。これにより、乗員は、法定視力を有していないことを把握することができる。
【００５３】
Ｓ５７０では、視力測定を続けるか否かを判定する。すなわち、一般的に行われる視力測定の方法のように、Ｓ５５０の処理を始めに実行したときの表示装置１０に表示したランドルド環の切り欠きの方向と乗員の回答した切り欠きの方向とが一致していると判定される場合には、現在表示されているランドルド環の大きさを小さく変更して、上述した処理を繰り返し実行する。そして、ランドルド環の切り欠き方向と乗員の回答した切り欠きの方向とが一致しなくなるまで繰り返し行う。そして、表示内容と回答とが一致しないと判定された場合の表示装置１０に表示されるランドルド環の大きさに相当する視力が乗員の視力として確定される。
【００５４】
一方、Ｓ５５０の処理を始めに実行したときの表示装置１０に表示したランドルド環の切り欠きの方向と乗員の回答した切り欠きの方向とが一致しないと判定される場合には、現在表示されているランドルド環の大きさをさらに大きく変更して、上述した処理を繰り返し実行する。そして、ランドルド環の切り欠き方向と乗員の回答した切り欠きの方向とが一致するまで繰り返し行う。そして、表示内容と回答とが一致したと判定された場合の表示装置１０に表示されるランドルド環の大きさに相当する視力が乗員の視力として確定される。
【００５５】
なお、ランドルド環の大きさは、例えば、一般に行われる視力測定の方法のように、表示装置１０に表示されているランドルド環よりも視力±０．１に相当する大きさに変更する。
【００５６】
このように、本実施形態におけるナビゲーション装置１００は、車両に乗車しながらも、乗員の視力測定を行う視力測定機能を有している。これにより、乗員は、運転を開始する前や信号待ち等において、乗員自身の視力を測定することができる。その結果、法定視力に満たない場合には、眼鏡の使用をすすめたり、運転を控えるよう乗員に注意を促したりすることができる。
【００５７】
なお、視力測定において表示装置１０に表示する文字や記号は、本実施形態のようなランドルド環に限らず、米国等において視力測定に用いられるＥ文字型のスネレン指標を用いたり、平仮名等の文字を用いたりして視力測定を行ってもよい。さらに、視力測定だけでなく色弱の測定を同時に行うものであってもよい。
【００５８】
（変形例１）
本実施形態では、表示装置１０から乗員のアイポイントまでの距離を身長から導いているが、例えば、車載カメラ等によって乗員の顔の特徴的な部分の大きさ（例えば、目の大きさ等）を撮像し、この撮像した特徴的な部分の大きさから表示装置１０から乗員のアイポイントまでの距離を推定するものであってもよい。これにより、乗員による身長入力の操作をすることなく、視力測定を開始することができる。
【００５９】
（変形例２）
本実施形態のように、表示装置１０がナビゲーション装置や、例えば、オーディオ機器等に用いられる場合、確定した視力によって読み取り可能な大きさに表示装置１０に表示する文字や記号を変更してもよい。これにより、乗員は表示部の文字や記号を読み取ることができる。
【００６０】
（変形例３）
本実施形態では、乗員による回答に応じて自動的に表示装置１０に表示するランドルド環の大きさを変更しているが、この表示装置１０に表示するランドルド環の大きさを任意に設定するようにし、その設定した大きさのランドルド環に相当する視力を乗員に教示するものであってもよい。これにより、乗員自身の視力を把握することができる。
【００６１】
（変形例４）
表示装置１０は、車室内のセンターコンソール付近に設置されるものだけでなく、車室内のメータクラスタ内に設置されるディスプレイや、フロントガラス等に表示されるヘッドアップディスプレイ（ＨＵＤ）であってもよい。
【００６２】
（変形例５）
本実施形態では、法定視力に満たない場合、表示装置１０に視力低下の表示したり、警告音を提示したりするものであるが、車両が停止中である場合には、車両の運転操作に係わる装置（例えば、アクセルペダル等）の作動を停止させるものであってもよい。
【図面の簡単な説明】
【００６３】
【図１】本発明の実施形態に係わる、ナビゲーション装置の概略構成を示すブロック図である。
【図２】本発明の実施形態に係わる、表示装置１０から乗員のアイポイント（Ｐ）までの距離（Ｌ）を示した図である。
【図３】本発明の実施形態に係わる、表示装置１０の画面１０ａの一部１０ｂにランドルド環を表示した場合のイメージ図である。
【図４】本発明の実施形態に係わる、視力測定機能の処理の流れを示すフローチャートである。
【図５】本発明の実施形態に係わる、設定処理の流れを示すフローチャートである。
【図６】本発明の実施形態に係わる、視力測定処理の流れを示すフローチャートである。
【図７】本発明の実施形態に係わる、ランドルド環を示す図である。
【符号の説明】
【００６４】
１  位置検出器
６  地図データ入力器
７  操作スイッチ群
８  制御回路
９  外部メモリ
１０  表示装置
１１  音声入出力装置
１２  リモコンセンサ
１３  リモコン
１００  ナビゲーション装置
【図１】
2005096645.tif 000003
【図２】
2005096645.tif 000004
【図３】
2005096645.tif 000005
【図４】
2005096645.tif 000006
【図５】
2005096645.tif 000007
【図６】
2005096645.tif 000008
【図７】
2005096645.tif 000009